(57)【要約】【課題】簡単な構成で、給水量が多い場合でも機外に水漏れすることなく、洗濯槽および脱水槽に水を供給する機構を備えた二槽式洗濯機を提供する。【解決手段】収納された衣類の洗浄を行う洗濯槽と、前記洗濯槽に水を供給する給水経路と、貯水と排水を切り替える貯水/排水切替機構と、洗濯運転の設定を行う洗濯設定手段と、前記洗濯槽とは別に形成された脱水槽と、前記脱水槽に水を供給する給水経路と、洗濯槽と脱水槽の給水経路を切り替える切替ノズルを備え、給水ツギテと水道水供給口を介して切替ノズルに水を供給する二槽式洗濯機において、前記給水ツギテの先端が前記切替ノズルの内部に配置した。【選択図】図９
2019024790.tif 000002
【特許請求の範囲】
【請求項１】
収納された衣類の洗浄を行う洗濯槽と、前記洗濯槽に水を供給する給水経路と、洗濯槽とは別に形成された脱水槽と、前記脱水槽に水を供給する給水経路と、洗濯槽と脱水槽の給水経路を切り替える切替ノズルを備え、給水ツギテと水道水供給口を介して切替ノズルに水を供給する二槽式洗濯機において、
前記給水ツギテの先端が前記切替ノズルの内部に配置されることを特徴とする二槽式洗濯機。
【請求項２】
請求項１において、
前記水道水給水口の内径を前記給水ツギテの内径と同径となるまで狭くすることを特徴とする二槽式洗濯機。
【発明の詳細な説明】
【技術分野】
【０００１】
本発明は、分岐した給水経路を備えた二槽式洗濯機に関するものである。
【背景技術】
【０００２】
近年では、洗濯容量の大容量化に対するニーズが高まってきている。特許文献１に記載のような、洗濯槽と脱水槽とを別々に有する二槽式洗濯機においても、洗濯容量の増加に伴い給水時間も増加することから、従来よりも高い給水圧での給水が求められてきている。
【先行技術文献】
【特許文献】
【０００３】
【特許文献１】特開２０１３−２２３９５号公報
【発明の概要】
【発明が解決しようとする課題】
【０００４】
従来から基本構造を踏襲している二槽洗においては、給水量を毎分30L以下での使用を前提としている。しかしながら、洗濯容量の増加に伴い給水時間も増加することから、毎分30L以下での給水が難しくなってきており、毎分30L以上の給水を行った場合、構造上給水経路から水が溢れ、最悪機外に水漏れを生じてしまう可能性がある。
【０００５】
本発明は、このような問題に鑑みて成されたものであり、その目的は、水圧が高く給水量が増えた場合でも、簡単な構成で、機外に水漏れすることなく、安定した給水機構を備えた二槽式洗濯機を提供することにある。
【課題を解決するための手段】
【０００６】
収納された衣類の洗浄を行う洗濯槽と、前記洗濯槽に水を供給する給水経路と、貯水と排水を切り替える貯水/排水切替機構と、洗濯運転の設定を行う洗濯設定手段と、前記洗濯槽とは別に形成された脱水槽と、前記脱水槽に水を供給する給水経路と、洗濯槽と脱水槽の給水経路を切り替える切替ノズルを備え、給水ツギテと水道水供給口を介して切替ノズルに水を供給する二槽式洗濯機において、前記給水ツギテの先端が前記切替ノズルの内部に配置した。
【発明の効果】
【０００７】
本発明によれば、簡単な構成で、給水量が多い場合でも機外に水漏れすることなく、脱水槽に水を供給する機構を備えた二槽式洗濯機を提供することができる。
【図面の簡単な説明】
【０００８】
【図１】本実施例の二槽式洗濯機の外観斜視図で洗濯槽外蓋１０と脱水槽外蓋１１ａを閉じた状態図である。
【図２】本実施例の二槽式洗濯機の正面外観図と内部構成を概略示す図である。
【図３】本実施例の二槽式洗濯機の外観斜視図で脱水槽外蓋１１aと脱水槽内蓋１１bを開いた状態図である。
【図４】本実施例の二槽式洗濯機の上面外観図と、洗濯槽２と脱水槽３の給水経路の概略構成図である。
【図５】本実施例の二槽式洗濯機の外観斜視図で脱水槽外蓋１１aを開き、脱水槽内蓋１１bを閉じた状態図である。
【図６】本実施例の二槽式洗濯機の外観斜視図で、給水ツギテ４１、水道水給水口３０、切替ノズル２３、給水経路を形成するパネルボックス２４とガイドフタ２５の概略構成図である。
【図７】本実施例の二槽式洗濯機における洗濯槽側に給水する場合の状態断面図である。
【図８】本実施例の二槽式洗濯機における脱水槽側に給水する場合の状態断面図である。
【図９】本実施例の二槽式洗濯機における洗濯槽側に給水する場合の状態断面図で、給水ツギテ４１を延長することで内径を狭くした状態図である。
【図１０】本実施例の二槽式洗濯機における洗濯槽側に給水する場合の状態断面図で、水道水給水口の内径を狭くした場合の状態図である。
【発明を実施するための形態】
【０００９】
本実施形態に係る二槽式洗濯機は、図１，図２に示すように、筐体１と筐体下カバー５を備え、水を溜める二槽の水受け槽４が筐体１の内部に配置されている。そして、この二槽の水受け槽４は、洗濯側と脱水側とに分かれている。そして、筐体１の上部の操作パネル部７には、洗濯時間を調整する洗濯タイマー８と、脱水時間を調整する脱水タイマー９が設けられている。
【００１０】
まず、洗濯側には、糸屑網３１が設けられ、洗濯槽２の上部には水道水を供給する水道水給水口３０を備え、洗濯槽２の底部には攪拌翼１４が設置されている。ここで、攪拌翼１４は、洗濯槽軸１６と連結され、洗濯モータ１７の動力を利用して回転し、洗濯槽２に収納された衣類の洗浄を行う。
【００１１】
一方、脱水側は、水受け槽筐体１の内側に洗濯槽２とは別の脱水槽３が設置され、この脱水槽３の壁面には脱水槽水抜き穴１５が形成されている。また、脱水槽３の上部には脱水槽バランサー３２が設けられ、脱水槽３の下部には脱水槽軸１８が設けられており、脱水槽軸１８と連結された脱水モータ２２の動力を用いて脱水槽３が回転する。
【００１２】
また、本実施形態に係る二槽式洗濯機における脱水槽３の開口部を塞ぐ蓋は、二重蓋構造となっている。具体的には、図１〜図３のように、脱水槽３側の上カバー６の内部であって、二槽式洗濯機の前面部に、衣類の飛び出しを防止する脱水槽内蓋１１ｂを備え、その更に、筐体１の脱水側衣類投入口１３を覆う脱水槽外蓋１１ａを備えている。
【００１３】
また、脱水槽内蓋１１ｂには脱水槽水かけ穴３３が複数設けられており、脱水槽内蓋１１ｂを閉じた状態で脱水槽給水経路２８から給水された水が、脱水槽内蓋１１ｂの脱水槽水かけ穴３３を介して、脱水槽３に入れた衣類にシャワー状にかかり、前すすぎを行うことができる。
【００１４】
次に、洗濯槽２および脱水槽３への給水切り換え機構について説明する。
【００１５】
図６のように水道水給水口３０に給水ツギテ４１が差し込まれ、その下部に切替ノズル２３を配置し、パネルボックス２４とガイドフタ２５で構成された、洗濯槽給水経路２７と脱水槽給水経路２８の２つの給水経路を備えており、パネルボックス２４とガイドフタ２５は爪勘合２６により結合されている。
【００１６】
前記給水ツギテ４１と前記水道水給水口３０および前記切替ノズル２３を介して、前記洗濯槽２または脱水槽３に給水する。
【００１７】
図７のように切替ノズル２３を左に傾けることで、給水ツギテ４１と水道水給水口３０および傾けた切替ノズル２３と洗濯槽給水経路２７を介して洗濯槽２に給水し、図８のように切替ノズル２３を右に傾けることで、脱水給水経路２８から脱水槽３に給水することが可能となっている。
【００１８】
ここで、毎分30L以上の給水を行った場合、構造上切替ノズル上面から水が溢れ、最悪機外に水漏れを生じてしまう可能性があるが、図９のように給水ツギテ４１を例えば、30ｍｍ延長する。別の見方をすると、給水ツギテ４１の先端が切替ノズル２３の内部に存するように構成する。これにより、供給される水の整流効果が高まり、水圧が高く給水量が増えた場合でも切替ノズルから水漏れすることなく、洗濯槽２と脱水槽３に供給することができる給水機構として採用されている。
【００１９】
また、図１０のように給水ツギテ４１を延長せずに、水道水給水口の内径を狭くすることでも同様の整流効果を得られるため、水圧が高く給水量が増えた場合でも切替ノズルから水漏れすることなく、洗濯槽２と脱水槽３に供給することが可能となる。
【符号の説明】
【００２０】
１  筐体
２  洗濯槽
３  脱水槽
４  二槽の水受け槽
５  筐体下カバー
６  上カバー
７  操作パネル部
８  洗濯タイマー
９  脱水タイマー
１０  洗濯槽外蓋
１１ａ  脱水槽外蓋
１１ｂ  脱水槽内蓋
１２  給水経路
１３  脱水槽側衣類投入口
１４  攪拌翼
１５  脱水槽水抜き穴
１６  洗濯槽軸
１７  洗濯モータ
１８  脱水槽軸
２２  脱水モータ
２３  切替ノズル
２４  パネルボックス
２５  ガイドフタ
２６  爪勘合
２７  洗濯槽給水経路
２８  脱水槽給水経路
３０  水道水給水口
３１  糸屑網
３２  脱水槽バランサー
３３  脱水槽水かけ穴
３４  洗濯槽排水口
３５  弁操作管
３６  排水弁リップ
３７  弁押しバネ
３８  排水切替ストラップ
３９  切欠き
４０  溢水ノズル
４１  給水ツギテ
【図１】
2019024790.tif 000003
【図２】
2019024790.tif 000004
【図３】
2019024790.tif 000005
【図４】
2019024790.tif 000006
【図５】
2019024790.tif 000007
【図６】
2019024790.tif 000008
【図７】
2019024790.tif 000009
【図８】
2019024790.tif 000010
【図９】
2019024790.tif 000011
【図１０】
2019024790.tif 000012